(57)【要約】【課題】擁壁の安定した盛り立てを行う。【解決手段】壁面パネルは、盛土を押える押え板と、それと直交する鉛直控え板で構成する。さらに鉛直控え板の法面側の端部の近くに鋼棒の貫通孔を開口する。このパネルを使用して擁壁を形成して道路などを拡幅する。【選択図】図１
2005350884.tif 000002
【特許請求の範囲】
【請求項１】
法面に接して盛土を行って道路などを拡幅する場合に、
盛土を押える押え板と、それと直交する鉛直控え板で構成し、かつ鉛直控え板の法面側の端部の近くに鋼棒の貫通孔を開口してある壁面パネルを使用し、
まず盛土の下部にコンクリート製の基礎ブロックを形成し、
この基礎ブロックの上に、前記の壁面パネルを、鉛直控え板を法面側に向けて搭載し、
それと前後して、下端を基礎ブロックに定着した鋼棒を、壁面パネルの鉛直控え板に開設した上下方向の貫通孔を貫通させ、
壁面パネルと法面との間に盛土材を投入し盛土層を形成し、
前記の壁面パネル上に、上の段の壁面パネルを、鉛直控え板を法面側に向けて搭載し、
それと前後して、下端を基礎ブロックに定着した鋼棒を、壁面パネルの鉛直控え板に開設した上下方向の貫通孔を貫通させ、
壁面パネルと法面との間に盛土材を投入し盛土層を形成する工程を繰り返し、
貫通孔を貫通した鋼棒に緊張力を導入して行う、
道路などの拡幅方法。
【請求項２】
盛土材料として軽量な盛土エアモルタルや焼却灰や石炭灰を用いて行う、
請求項１記載の、道路などの拡幅方法。
【請求項３】
法面に接して盛土を行って道路などを拡幅する場合に使用する壁面パネルであって、
盛土を押える押え板と、
それと直交する鉛直控え板で構成し、
かつ鉛直控え板の法面側の端部の近くに鋼棒の貫通孔を開口して構成した、
壁面パネル。
【発明の詳細な説明】
【技術分野】
【０００１】
本発明は、盛土によって道路などを拡幅する方法と、その拡幅に使用する壁面パネルに関するものである。
【背景技術】
【０００２】
山間部の急峻な斜面で道路等の盛土構造物を構築する場合、地山を大量に掘削し必要幅を確保し、掘削した斜面の片側に擁壁を構築し、この擁壁と法面との間に盛土を行い、必要な盛土幅を確保する工法が一般的である。
【発明の開示】
【発明が解決しようとする課題】
【０００３】
しかし、上記の従来の盛土による道路の拡幅方法にあっては、以下のような問題点がある。
＜１＞山間部の急峻な斜面で盛土する場合、山間部での掘削を大量に行う必要があるため、自然破壊を引起す恐れがある。
＜２＞盛土の崩壊を抑えるために擁壁を構築するが、一般に擁壁は傾斜を付けて設置するから、急峻な斜面においては擁壁の裾は斜面の下方まで長く延長させる必要があり、不経済である。
【課題を解決するための手段】
【０００４】
上記したような課題を解決するために本発明の道路などの拡幅方法は、法面に接して盛土を行って道路などを拡幅する場合に、盛土を押える押え板と、それと直交する鉛直控え板で構成し、かつ鉛直控え板の法面側の端部の近くに鋼棒の貫通孔を開口してある壁面パネルを使用し、まず盛土の下部にコンクリート製の基礎ブロックを形成し、この基礎ブロックの上に、前記の壁面パネルを、鉛直控え板を法面側に向けて搭載し、それと前後して、下端を基礎ブロックに定着した鋼棒を、壁面パネルの鉛直控え板に開設した上下方向の貫通孔を貫通させ、壁面パネルと法面との間に盛土材を投入し盛土層を形成し、前記の壁面パネル上に、上の段の壁面パネルを、鉛直控え板を法面側に向けて搭載し、それと前後して、下端を基礎ブロックに定着した鋼棒を、壁面パネルの鉛直控え板に開設した上下方向の貫通孔を貫通させ、壁面パネルと法面との間に盛土材を投入し盛土層を形成する工程を繰り返し、貫通孔を貫通した鋼棒に緊張力を導入して行う、道路などの拡幅方法を特徴とするものである。
【０００５】
また、本発明の壁面パネルは、法面に接して盛土を行って道路などを拡幅する場合に使用する壁面パネルであって、盛土を押える押え板と、それと直交する鉛直控え板で構成し、かつ鉛直控え板の法面側の端部の近くに鋼棒の貫通孔を開口して構成した、壁面パネルを特徴としたものである。
【発明の効果】
【０００６】
本発明の施工方法とパネルは以上説明したようになるから、次のような効果を得ることができる。
＜１＞山間部の急峻な斜面で盛土する場合、山間部での掘削を大量に行う必要がなく、切土のり面の減少を阻止できることから、自然破壊防止に寄与して道路などの拡幅を行うことができる。
＜２＞鉛直控え板の法面側の端部の近くに鋼棒の貫通孔を開口してあり、この貫通孔に鋼棒を貫通して緊張する。したがって本発明の壁面パネルは盛土を押える押え板から十分に離れた位置でパネルの回転を抑えることができる。そのために安定した擁壁を備えた道路などの拡幅を行うことができる。
＜３＞特に、盛土材料として軽量な盛土エアモルタルや焼却灰や石炭灰を用いれば、盛土材の比重が、土砂の比重より小さくなり、盛土構造物全体が軽量化できるため、比較的やわらかい地盤にも、大掛かりな基礎地盤の改良が必要なく、簡易な基礎工事で対応できる。また、盛土材を軽量化することにより、擁壁に作用する土圧を少なくすることができ、壁面パネルの薄肉化を図ることができる。
＜４＞壁面パネル群の転倒を、壁面から離れた位置で緊張する構造であるから、ほぼ垂直の壁面でも安定した状態で構築することができ、高い壁面を備えた道路などの拡幅を行うことができる。
【発明を実施するための最良の形態】
【０００７】
以下図面を参照しながら、本発明に係る道路などの拡幅方法とパネルの実施の形態について説明する。
【０００８】
＜１＞壁面パネルの構造。
本発明の拡幅方法で使用する壁面パネル１の構造について説明する。
この壁面パネル１は、法面Ｓに接して盛土を行って道路などを拡幅する場合に使用する壁面パネル１であり、コンクリートあるいは鋼棒で構成する。
特に、フライアッシュを用いて軽量化したプレキャストコンクリート製の壁面パネル１を使用すると取り扱いが便利で作業効率を向上させることができる。
そして、この壁面パネル１は、押え板１１と、それと直交する鉛直控え板１２とによって構成する。
【０００９】
＜２＞押え板１１。
押え板１１は、盛土の表面を被覆してその崩壊を押える板である。
この押え板１１は取り扱いに便利な縦、横の寸法と、所定の強度を得られる厚さを有し、その外側面には、各種の模様を形成することもできる。
【００１０】
＜３＞控え板１２。
鉛直控え板１２は、押え板１１と直交する方向に向けて形成した板である。
この壁面パネル１によって壁面を構成する場合には、この控え板１２は鉛直に位置する。
控え板１２であるから押え板１１から一定の距離だけ延長した長さを有する。
図の実施例では１枚の押え板１１に対して２枚の控え板１２を取り付けてあるが、１枚の押え板１１の法面Ｓ側に１枚、あるいは３枚以上の複数枚の控え板１２を取り付けることもできる。
【００１１】
＜４＞貫通孔１２ａ。
この鉛直控え板１２の法面Ｓ側の端部の近くには貫通孔１２ａを開口する。
この貫通孔１２ａは、後述する鋼棒を貫通するための孔である。
この貫通孔１２ａは、鉛直方向に開口する場合に限らず、傾斜した方向に開口する構成を採用することもできる。
【００１２】
＜５＞施工方法。
法面Ｓに接して盛土を行い、その上部の水平面を道路などとして利用する場合について説明する。
【００１３】
＜６＞法面Ｓへのモルタルの吹き付け。
まず、道路用の盛土を行う予定の法面Ｓへ、モルタル２を一定の厚さで吹付けて、吹き付けモルタル２の層を形成する。
モルタルの吹き付けは、公知の吹き付け工法を使用できる。
軽量の盛土エアモルタル３の盛り立てを行う前に、法面Ｓに吹き付けモルタル２の薄い層を形成しておくことによって、盛土の素材となる盛土エアモルタル３と法面Ｓとの良好な付着を得ることができる。
なお、法面Ｓに湧水がある場合には、モルタル２の吹き付けに先立って、法面Ｓの表面に多孔質の排水パイプを敷設しておき、湧水を盛土の外まで誘導して排水する。
【００１４】
＜７＞せん断防止ボルトの打設。
吹き付けモルタル２層の形成の前、あるいはその後に、法面Ｓに複数本のせん断防止ボルトを打設する。この打設工事も、公知の方法を利用して行うことができる。（図示せず）
法面Ｓにせん断ボルトを打設しておくことによって、法面Ｓと盛土との境面におけるせん断を阻止して、盛土エアモルタル３層と法面Ｓとの一体化を図ることができる。
さらにせん断防止ボルトの露出した頭部は金属性、コンクリート製の板などを取り付けるとより効果的に両者の一体化を図る。
なお、せん断防止ボルトは、初期に前部を打設するだけでなく、盛土の高さが上昇するのに応じて、打設できる範囲に対して行ってもよい。
【００１５】
＜８＞基礎ブロック４の構築。
擁壁の裾に相当する位置の地盤を掘削する。
そして盛土の予定線に沿って、コンクリートを打設し、あるいはプレキャストコンクリートによって基礎ブロック４を形成する。
この基礎ブロック４の内部には、反力を得るために、反力用アンカーを打設して固定しておく。
このアンカーとは別に、基礎ブロック４にはＰＣ鋼棒５の下端を埋設して固定する。
このＰＣ鋼棒５の下端は、擁壁の前面よりも十分に地山方向に寄った位置、すなわちパネルの鉛直控え板１２に開口した貫通孔１２ａに相当する位置に、上向きに設置する。
このＰＣ鋼棒５は、最初にあまり長いものを設置すると、後述するパネルを貫通する作業が困難になる。
そこで適当な長さのものを上向きに設置し、パネル１の積み上げに応じて順次延長してゆく。
そのために、例えば鋼棒５の上端にネジを形成し、ナットを介して順次上方向に長く延長してゆく構成を採用することができる。
ＰＣ鋼棒５以外にも、ネジ付き異径鋼棒、ＰＣ鋼線など、プレストレスを付与することができる材料を使用でき、鋼線の場合には余分の長さは折り曲げて使用することができる。
【００１６】
＜９＞最下段の壁面パネル１の固定。
基礎ブロック４の上に、まず最下段の壁面パネル１を立てる。
この壁面パネル１は、前記したように押え板１１と鉛直控え板１２とによって形成した、コンクリート製、あるいは鋼製の板体である。
このように壁面パネル１は、押え板１１の法面Ｓ側、すなわち背面に鉛直控え板１２が延長しているから、基礎ブロック４の上に単に立てただけでも転倒することはない。
【００１７】
＜１０＞鋼棒５の貫通。
前記したように、壁面パネル１の鉛直控え板１２の法面Ｓ側の端部の近くには上下方向に貫通孔１２ａが開口してある。
そこでこの貫通孔１２ａ内に、基礎ブロック４に一端を固定したＰＣ鋼棒５の上端を貫通させる。
そして、壁面パネル１の上縁の位置でボルトを締め付ける。
こうして最下段の壁面パネル１を鉛直の姿勢で固定し自立させる。
ＰＣ鋼棒５を締め付けることによって、その緊張力が壁面パネル１の鉛直控え板１２にプレストレスを与え、プレストレスコンクリート版として機能させることができる。
その結果、壁面パネル１は引っ張り力に対抗できることになり、薄い材料で形成することができる。
なお、鋼棒５はパネル１段ごとに締め付けるのではなく、最上段のパネルの貫通孔１２ａから露出した鋼棒５の端を締め付ける工法を採用することもできる。
このように、鉛直控え板１２の法面Ｓ側の端部の近く、すなわち壁面パネル１の押え板１１から離れた位置に鋼棒５の貫通孔１２ａを開口してあり、この貫通孔１２ａに鋼棒５を貫通して緊張する構成である。
したがって本発明の壁面パネル１は盛土を押える押え板１１から十分に離れた位置でパネルの回転を抑えることができる。そのために安定した擁壁を確保することができる。
【００１８】
＜１１＞盛土。
最下段の壁面パネル１と、法面Ｓとの間に、ほぼ水平面を維持させて最下層の盛土エアモルタル３層を盛土の層として形成する。
盛土は盛土エアモルタルに限らないが、盛土材は軽量であることが好ましく、特にエアモルタル３を使用すると盛土全体が軽量化する。
その結果、地盤の沈下や、側方への流動の発生を防止することができる。
エアモルタルで盛土を行う場合には流動性があるから、遠方からポンプによって圧送することができ、足場の悪い現場でも容易、迅速な盛土が可能である。
なお、盛土エアモルタル３以外にも石炭灰、焼却灰、などに固結材、発泡剤、水を混合したような公知の流動化盛土材を使用することができる。
一層の盛土エアモルタル３層の高さが、所定の高さまで達したら、転圧して締め固める。
なお、盛土エアモルタル３層の内部に、水平方向に引張抵抗材を敷設すれば、さらに安定した盛土層を得ることができる。
この引張抵抗材としては防錆処理した金網、合成樹脂や繊維製のシートや網材などを使用できる。
【００１９】
＜１２＞壁面パネル１の連結。
最下段の壁面パネル１の上縁に、２段目の壁面パネル１を搭載する。
その際に鉛直控え板１２の端部近くに開口した貫通孔１２ａにＰＣ鋼棒５を貫通する。
鋼棒５が短ければ前述したように、各種の継手で延長した後に、鋼棒５を貫通孔１２ａに貫通する。
貫通したＰＣ鋼棒５の上端のネジ山にナットを取り付けて強く締め付けることによって、壁面パネル１を自立させ、かつプレストレスを与えることができる。
【００２０】
＜１３＞第２層の盛土。
第２段目の壁面パネル１と、法面Ｓと、下層の盛土エアモルタル３層の上に、第２層の盛土エアモルタル３層の形成を行う。
こうして、パネル１の上方への連結と盛土エアモルタル３層の形成を繰り返して、最上段までの盛土を完成する。
【００２１】
＜１４＞鋼棒５の緊張。
各段のパネル１ごとに鋼棒５、鋼棒を緊張する場合以外に、上端で一度に緊張する方法を採用することもできる。
その場合には、最上段パネルから鋼棒５の上端を露出させ、その露出端にセンターホールジャッキを取り付けて鋼棒５の全長を同意に緊張させる。あるいはＰＣ鋼線を使用して同様に最上段から緊張することもできる。
鋼棒５、鋼線は、鉛直控え板１２の法面Ｓ側の端部の近くに開口した貫通孔１２ａを通して設置してある。
この鋼棒５、鋼線を貫通して緊張するのであるから、盛土を押える押え板１１から十分に離れた位置で盛土の圧力によるパネルの回転を抑えることができる。そのために安定した擁壁を確保することができる。
【００２２】
＜１５＞道路面の形成。
最上層の盛土層の内部には引張抵抗材、例えば金網や合成樹脂シート、合成樹脂網体を敷設する。
そしてその盛土層の上面にコンクリート、あるいはアスファルトのような公知の舗装を行う。舗装面の下の盛土エアモルタル３層には、その内部に引張抵抗材を敷設してあるから、沈下や変形が発生し難い。
その結果、表面の舗装にクラックが発生するような事故の発生を避けることができる。
【００２３】
＜１６＞アンカーの打設。
法面Ｓの内部の地山の挙動に応じて、必要な場合にはアンカーを打設する。
このアンカーは壁面パネル１の外側から、地山へ向けて行い、地山内のすべり面よりも深い位置まで削孔してアンカーを挿入して緊張して固定する。
このアンカーの打設方法や緊張方法、固定方法など多数の公知の方法が存在するから、その中から最適な方法を選択して採用する。
こうして盛土エアモルタル３などの軽量な材料の層を積み上げた道路が完成する。
【００２４】
＜１７＞他の構成。
壁面パネル１の鉛直控え板１２を、側面から見た形状で、台形状に形成することもできる。（図４）
すなわち、台形控え板１３の上縁１３ａを、下縁１３ｂよりも短く形成する。
そして貫通孔１２ａは鉛直にではなく、傾斜した方向に貫通させる。
そしてひとつの壁面パネル１の台形控え板１３の上縁１３ａの長さを、上の段の壁面パネル１の下縁１３ｂの長さと等しく形成しておく。
このように順次上縁１３ａと下縁１３ｂの長さが異なるパネルを製造しておけば、押え板１１の前面が同一平面を形成した場合に、台形控え板１３の法面側の端面が、一定の傾斜を持った擁壁を形成することができる。
盛土の水平方向に作用する土圧は、下で大きく、上で小さいから、この壁面パネル１群の貫通孔１２ａに貫通した鋼棒を緊張すれば、傾斜した鋼棒５を有効に活用することができる。
【図面の簡単な説明】
【００２５】
【図１】本発明の壁面パネルの斜視図。
【図２】パネルを積み重ねた状態の説明図。
【図３】道路などの拡幅が完成した状態の一例を示す説明図。
【図４】壁面パネルの他の実施例の説明図。
【符号の説明】
【００２６】
１：壁面パネル
１１：押え板
１２：鉛直控え板
１３：台形控え板
３：盛土エアモルタル層
５：ＰＣ鋼棒
【図１】
2005350884.tif 000003
【図２】
2005350884.tif 000004
【図３】
2005350884.tif 000005
【図４】
2005350884.tif 000006